(57)【要約】【課題】記憶媒体の盗難及び情報の漏洩を防止する。【解決手段】ディスク取出スイッチ１０の長押し操作によりキーロック状態に移行する。キーロック状態では、信号生成部１６はトレイ状態検出スイッチ１０で検出される検出スイッチ信号の状態を変化させ、実際にはトレイがクローズ状態であってもオープン状態であるかのように変化させる。これにより、駆動制御部１８は、トレイをオープンにすることなくディスクの排出が防止される。また、マイコン１４はメモリ１４ａに蓄積された光ディスクのＴＯＣ情報等も消去する。【選択図】図１
2008130188.tif 000002
【特許請求の範囲】
【請求項１】
記憶媒体に対して再生あるいは記録を行う記憶媒体駆動装置であって、
操作手段と、
記憶媒体排出手段と、
前記記憶媒体排出手段を作動させる作動手段と、
前記操作手段による特定操作の入力に応じ、前記記憶媒体排出手段により前記記憶媒体が既に排出されている状態を擬似的に生成することで前記作動手段による前記記憶媒体の排出を禁止する制御手段と、
を有することを特徴とする記憶媒体駆動装置。
【請求項２】
請求項１記載の装置において、
前記制御手段は、さらに、前記作動手段による前記記憶媒体の排出を禁止するとともに、前記記憶媒体から読み出した前記記憶媒体に関する情報をメモリから消去する
ことを特徴とする記憶媒体駆動装置。
【請求項３】
請求項１記載の装置において、
前記記憶媒体の有無を検出する検出手段
を有し、前記制御手段は、前記記憶媒体が既に排出されている状態を擬似的に生成した場合であっても、前記検出手段で前記記憶媒体が存在しないと検出したときには前記作動手段による前記記憶媒体の排出を許可する
ことを特徴とする記憶媒体駆動装置。
【請求項４】
記憶媒体に対して再生あるいは記録を行う記憶媒体駆動装置であって、
操作手段と、
記憶媒体排出手段と、
前記記憶媒体排出手段を作動させる作動手段と、
前記記憶媒体の装着あるいは排出の状態を検出する状態検出手段と、
前記操作手段による特定操作の入力に応じ、前記状態手段により前記記憶媒体の装着状態が検出されていても前記排出状態にあるとして前記作動手段による前記記憶媒体の排出を禁止し、かつ、前記記憶媒体の装着状態において前記記憶媒体から読み出した情報を消去する制御手段と、
を有することを特徴とする記憶媒体駆動装置。
【請求項５】
記憶媒体に対して再生あるいは記録を行う記憶媒体駆動装置であって、
記憶媒体取出スイッチと、
記憶媒体を搬送するトレイと、
前記トレイを装置内に搬入及び排出するトレイ駆動機構と、
前記トレイが搬入状態にあるか排出状態にあるかを検出する第１検出手段と、  
前記記憶媒体が装置内に存在するか否かを検出する第２検出手段と、
前記記憶媒体取出スイッチの特定操作に応じ、前記第１検出手段により前記トレイが搬入状態にあって前記第２検出手段により前記記憶媒体が装置内に存在する場合に、前記トレイが排出状態にあるものとみなして前記トレイ駆動機構によるトレイ排出を禁止し、前記第１検出により前記トレイが搬入状態にあって前記第２検出手段により前記記憶媒体が装置内に存在しない場合に、前記トレイ駆動手段によるトレイ排出を許容する制御手段と、
を有することを特徴とする記憶媒体駆動装置。
【発明の詳細な説明】
【技術分野】
【０００１】
本発明は記憶媒体駆動装置、特にディスク等の記憶媒体の排出に関する。
【背景技術】
【０００２】
従来より、記録媒体の盗難や記録媒体の破損防止等を目的として、記憶媒体の排出（イジェクト）を禁止する技術が提案されている。
【０００３】
例えば、特許文献１には、イジェクト動作を禁止するロックモードを有する装置が開示されている。ロックモードに設定された場合、イジェクトスイッチを操作してもプレーヤ内にローディングされていればＣＤはイジェクトされず、イジェクト動作以外の通常の動作は許容される。ロックモードの設定及び解除は、ストップスイッチを３秒以上連続して押し続けることで行われる。
【０００４】
また、特許文献２には、ロックボタンを押したときに、イジェクトだけでなく、記録や再生に関する操作ボタンの操作も無効にすることが開示されている。
【０００５】
【特許文献１】特開平７−３７３２０号公報
【特許文献２】特開２００６−２１６１９２号公報
【発明の開示】
【発明が解決しようとする課題】
【０００６】
このように、ロックモードあるいはロックボタンを操作してイジェクトボタンを無効にすることでイジェクトを防止することが可能であるが、ＣＤ等の記憶媒体をローディングする際に装置はＴＯＣ情報を読み出してメモリに記憶しており、この情報はそのまま装置内に残存するため、情報漏洩のおそれがある。また、特許文献２においては再生中にロック状態にすると、再生が継続して行われることとなるため、やはりデータの漏洩のおそれがある。
【０００７】
したがって、ユーザが装置から離れるときにその都度、装置から確実に記憶媒体をイジェクトしておくのが好ましい。記憶媒体のイジェクト時には、記憶媒体から読み出したＴＯＣ情報等は記憶媒体排出時に同時にリセットされて装置内に残らず、情報漏洩のおそれがないからである。しかしながら、全てのユーザにこの作業を義務づけることは困難であり、その都度記憶媒体をイジェクトするのは煩雑でもある。
【０００８】
本発明の目的は、情報漏洩をより確実に防止してセキュリティ性を向上させた記憶媒体駆動装置を提供することにある。
【課題を解決するための手段】
【０００９】
本発明は、記憶媒体に対して再生あるいは記録を行う記憶媒体駆動装置であって、操作手段と、記憶媒体排出手段と、前記記憶媒体排出手段を作動させる作動手段と、前記操作手段による特定操作の入力に応じ、前記記憶媒体排出手段により前記記憶媒体が既に排出されている状態を擬似的に生成することで前記作動手段による前記記憶媒体の排出を禁止する制御手段とを有することを特徴とする。
【００１０】
また、本発明は、記憶媒体に対して再生あるいは記録を行う記憶媒体駆動装置であって、操作手段と、記憶媒体排出手段と、前記記憶媒体排出手段を作動させる作動手段と、前記記憶媒体の装着あるいは排出の状態を検出する状態検出手段と、前記操作手段による特定操作の入力に応じ、前記状態手段により前記記憶媒体の装着状態が検出されていても前記排出状態にあるとして前記作動手段による前記記憶媒体の排出を禁止し、かつ、前記記憶媒体の装着状態において前記記憶媒体から読み出した情報を消去する制御手段とを有することを特徴とする。
【００１１】
また、本発明は、記憶媒体に対して再生あるいは記録を行う記憶媒体駆動装置であって、記憶媒体取出スイッチと、記憶媒体を搬送するトレイと、前記トレイを装置内に搬入及び排出するトレイ駆動機構と、前記トレイが搬入状態にあるか排出状態にあるかを検出する第１検出手段と、前記記憶媒体が装置内に存在するか否かを検出する第２検出手段と、前記記憶媒体取出スイッチの特定操作に応じ、前記第１検出手段により前記トレイが搬入状態にあって前記第２検出手段により前記記憶媒体が装置内に存在する場合に、前記トレイが排出状態にあるものとみなして前記トレイ駆動機構によるトレイ排出を禁止し、前記第１検出により前記トレイが搬入状態にあって前記第２検出手段により前記記憶媒体が装置内に存在しない場合に、前記トレイ駆動手段によるトレイ排出を許容する制御手段とを有することを特徴とする。  
【発明の効果】
【００１２】
本発明によれば、第３者による記憶媒体の盗難を防止し、また、記憶媒体の情報の漏洩を防止できる。
【発明を実施するための最良の形態】
【００１３】
以下、図面に基づき本発明の実施形態について、記憶媒体としてＣＤやＤＶＤ等の光ディスクを駆動する光ディスク駆動装置を例にとり説明する。
【００１４】
＜第１実施形態＞
図１に、本実施形態における光ディスク駆動装置の構成ブロック図を示す。光ディスク駆動装置（光ディスクドライブ）は、例えばパーソナルコンピュータ等に内蔵され、ディスク取出スイッチ１０、トレイ状態検出スイッチ１２、マイコン（あるいはプロセッサ）１４、信号生成部１６、駆動制御部１８及び駆動部２０を備える。
【００１５】
ディスク取出スイッチ１０は、例えば光ディスク駆動装置の前面に設けられ、ユーザが光ディスクを搬送するトレイをオープンして光ディスクを排出する際に操作するボタンであり、光ディスク排出機構を作動させるスイッチとして機能する。ユーザがディスク取出スイッチ１０を短押しすると、ディスク取出スイッチ１０は短押し操作に応じてイジェクト信号をマイコン１４に供給する。一方、ディスク取出スイッチ１０は、光ディスク排出を禁止するために特定操作を入力する操作手段としても機能し、トレイのオープンを禁止して光ディスクの盗難を防止したい場合、ユーザはディスク取出スイッチ１０を長押しする。ディスク取出スイッチ１０は、長押し操作に応じてキーロック信号をマイコン１４に供給する。
【００１６】
マイコン１４は、ディスク取出スイッチ１０からのイジェクト信号及びキーロック信号が入力され、イジェクト信号に応じて駆動制御部１８にイジェクトコマンドを供給する。また、キーロック信号に応じてキーロック状態信号を信号生成部１６に供給する。
【００１７】
トレイ状態検出スイッチ１２は、トレイの状態、つまりトレイがクローズ状態かオープン状態かを検出し、検出信号を信号生成部１６に供給する。
【００１８】
信号生成部１６は、論理回路から構成され、マイコン１４からのキーロック状態信号とトレイ状態検出スイッチ１２からの検出信号とを入力し、両信号の論理演算を行ってトレイ状態検出スイッチ信号を生成する。生成されたトレイ状態検出スイッチ信号は駆動制御部１８に供給される。
【００１９】
駆動制御部１８は、マイコン１４からのイジェクトコマンドと信号生成部１６からのトレイ状態検出スイッチ信号とが入力され、両信号に応じて駆動部２０に対して駆動信号を供給し、トレイのクローズ及びオープンを実行する。すなわち、駆動制御部１８は、マイコン１４からのコマンドがイジェクトコマンドであり、かつトレイがクローズ状態にある場合、トレイをクローズ状態からオープン状態とすべく駆動部２０を駆動する。これにより、装置内にローディングされた光ディスクが装置外に排出される。また、マイコン１４は、イジェクトコマンドの発行に伴い、パーソナルコンピュータあるいは駆動装置内のメモリ（例えばマイコン１４内のメモリ１４ａ）に記憶されている、当該光ディスクのＴＯＣ情報等を消去する。光ディスクの排出時にＴＯＣ情報をメモリから消去する技術は公知である。また、駆動制御部１８は、マイコン１４からのコマンドがイジェクトコマンドであり、トレイがオープン状態にある場合、駆動制御部１８はトレイをオープン状態からクローズ状態とすべく駆動部２０を駆動する。
【００２０】
通常の光ディスク駆動装置では、トレイ状態検出スイッチ１２からの検出信号をそのまま駆動制御部１８に供給し、駆動制御部１８はマイコン１４からのイジェクトコマンドとトレイ状態検出スイッチ１２からの検出信号とに応じて駆動部２０を駆動する。この場合、実際のトレイ状態と駆動制御部１８に供給されるトレイ状態検出信号とは一致しているから、駆動制御部１８は実際にトレイがクローズしていればトレイをクローズ状態からオープン状態に駆動し、光ディスクを装置外に排出する。しかしながら、この構成ではユーザ以外の第３者のディスク取出スイッチ１０の操作により光ディスクが排出されてしまい、あるいは光ディスクのＴＯＣ情報が漏洩するおそれがある。
【００２１】
これに対し、本実施形態では、トレイ状態検出スイッチ１２からの検出信号をそのまま駆動制御部１８に供給するのではなく、信号生成部１６でマイコン１４からのキーロック状態信号に応じて検出信号を変化させた上でトレイ状態検出スイッチ信号として供給する。具体的には、キーロック信号がアクティブ状態（ロック状態）である場合、たとえトレイ状態検出スイッチ１２がトレイのクローズを検出していたとしても、これをオープン状態であることを示す信号に変化させ、実際にはトレイがクローズ状態にあったとしてもあたかもトレイがオープン状態であるかのように装う。すなわち、信号生成部１６は、実際にはトレイがクローズ状態であっても擬似的にオープンな状態を生成する。信号生成部１６で擬似的にオープン状態を作り出すことで、駆動制御部１８は実際にはトレイがクローズ状態であってもオープン状態である旨の検出信号を受け取ることになるため、たとえマイコン１４からイジェクトコマンドを入力しても駆動部２０を駆動してトレイをオープンすることはなく光ディスクの排出が防止される。また、マイコン１４にはトレイ状態検出スイッチ信号が入力されるようになっており、該信号がクローズからオープンに変化したとき、光ディスクが排出されたとしてメモリ１４ａに記憶された光ディスクのＴＯＣ情報等を消去する。これにより、擬似的にオープンな状態となったときにもＴＯＣ情報等がメモリ１４ａから消去されることになる。
【００２２】
トレイ状態を擬似的にオープンな状態へと変化させる方法は種々存在し得るが、例えばトレイ状態を検出信号の２値電圧レベルに対応させ、電圧レベルを反転させることで簡易に実現できる。検出信号のＨｉレベルをトレイのクローズ状態、Ｌｏｗレベルをトレイのオープン状態に対応させておき、キーロック信号が入力された場合にＨｉレベルからＬｏｗレベルに反転させることでトレイのオープン状態を生成できる。レベル変換、位相変換、周波数変換等の任意の変換方法を採用し得る。
【００２３】
図２に、図１における信号生成部１６の一つの構成例を示す。信号生成部１６は、論理積ゲート（ＡＮＤゲート）５０を含んで構成される。ＡＮＤゲート５０の一方の入力端子にはマイコン１４からのキーロック状態信号が供給され、ＡＮＤゲート５０の他方の入力端子にはトレイ状態検出スイッチ１２からの検出スイッチ信号が供給される。ＡＮＤゲート５０は、両者の論理積を演算し、演算結果をトレイ状態検出スイッチ信号として駆動制御部１８に出力する。
【００２４】
ここで、キーロック状態信号、検出スイッチ信号、トレイ状態検出スイッチ信号の２値レベルと論理状態を以下のように定義する。
【００２５】
＜キーロック状態信号＞
Ｈｉ：非ロック状態（短押し状態）
Ｌｏｗ：ロック状態（長押し状態）
＜検出スイッチ信号＞
Ｈｉ：クローズ状態
Ｌｏｗ：オープン状態
＜トレイ状態検出スイッチ信号＞
Ｈｉ：クローズ状態
Ｌｏｗ：オープン状態
【００２６】
ユーザがディスク取出スイッチ１０を長押しせずキーロック状態信号がＨｉ（非ロック状態）である場合、検出スイッチ信号がＨｉ（クローズ状態）の場合のみ、トレイ状態検出スイッチ信号はＨｉ（クローズ状態）となり、この場合においてのみ駆動制御部１８はディスク取出スイッチ１０の短押し操作によるイジェクトコマンドに応じて駆動部２０を駆動してトレイをオープン状態まで駆動して光ディスクを排出する。また、このイジェクト動作により、トレイ状態検出スイッチ信号がＬｏｗ（オープン状態）になるので、ＴＯＣ情報等をメモリ１４ａから消去する。
【００２７】
ユーザがディスク取出スイッチ１０を長押ししてキーロック状態信号がＬｏｗ（ロック状態）である場合、検出スイッチ信号がＨｉ（クローズ状態）であっても、トレイ状態検出スイッチ信号はＬｏｗ（オープン）となり、トレイは既にオープン状態にあることから、駆動制御部１８はディスク取出スイッチ１０の短押し操作によるイジェクトコマンドが発行されてもトレイをさらにオープン状態にすることなくクローズ状態に維持する。これにより、光ディスクが搬入されている場合でもトレイがオープンにされることはないから光ディスクの盗難が防止される。さらに、トレイ状態検出スイッチ信号がＬｏｗ（オープン）になったことによりＴＯＣ情報等はメモリ１４ａから消去されるので、ＴＯＣ情報等への不正アクセスも防止される。
【００２８】
なお、トレイが実際にオープン状態にある場合、検出スイッチ信号はＬｏｗであるためトレイ状態検出スイッチ信号はＬｏｗであり、駆動制御部１８はディスク取出スイッチに応じてトレイをクローズ状態まで駆動する。この場合でも、ロック状態であればトレイ状態検出スイッチ信号はＬｏｗ（オープン）のままであり、光ディスクの起動処理は実行されない。すなわち、光ディスクからＴＯＣ情報等を読み出すことは実行されず、データの再生、データの記録等も実行できない。
【００２９】
＜第２実施形態＞
図３に、本実施形態における光ディスク駆動装置の構成ブロック図を示す。上記の第１実施形態では、ディスク取出スイッチ１０を長押ししてキーロック状態信号をアクティブ（ロック状態）にした場合、トレイのオープンを一律に禁止しているが、本実施形態ではさらに光ディスクが実際に装置内に存在しているか否かを判定し、光ディスクが装置内に存在していない場合には光ディスクの盗難のおそれがないのでトレイのオープンを許容する例を示す。
【００３０】
図３において、図１の構成に加え、さらにＬＤドライバ２２、ＬＤ（レーザダイオード）２４、ＰＤ（フォトディテクタ）２６、Ｉ／Ｖ（電流電圧変換）回路２８、及びコンパレータ３０を有する。
【００３１】
駆動制御部１８は、マイコン１４からイジェクトコマンドが入力されると、ＬＤドライバ２２によりＬＤ２４を駆動し、レーザ光を所定時間（例えば数秒）だけ光ディスク表面に向けて射出する。ＰＤ２６は、光ディスクからの反射光を受光し、受光量に応じた電流信号をＩ／Ｖ回路２８に供給する。Ｉ／Ｖ回路２８は、電流信号を電圧信号に変化してコンパレータ３０に供給する。コンパレータ３０は、入力した電圧を基準電圧Ｖｒｅｆと大小比較して反射光の有無、すなわち光ディスクの有無を検出し、ディスク有無信号として信号生成部１６に供給する。ＬＤ２４及びＰＤ２６はトレイ近傍に配置された個別のディスク検出回路として構成してもよく、光ディスクに対してデータを記録あるいは再生する光ピックアップに搭載されているＬＤ及びＰＤをそのまま援用してもよい。光ピックアップ搭載のＬＤ及びＰＤを援用する場合、光ディスクの有無検出のために特別な制御を行わずとも例えばフォーカスサーチ制御でもよい。
【００３２】
信号生成部１６は、マイコン１４からのイジェクトトリガ信号及びキーロック状態信号、トレイ状態検出スイッチ１２からの検出スイッチ信号、コンパレータ３０からのディスク有無信号が入力され、これらの信号に基づいてトレイ状態検出スイッチ信号及びイジェクト駆動信号を生成して駆動制御部１８に供給する。マイコン１４は、ディスク取出スイッチ１０の短押し操作に応じてイジェクトトリガ信号を生成して信号生成部１６に供給する。また、駆動制御部１８は、マイコン１４からのイジェクトコマンド、信号生成部１６からのトレイ状態検出スイッチ信号、イジェクト駆動信号に応じて駆動部２０を駆動する。
【００３３】
図４に、本実施形態における信号生成部１６の構成を示す。信号生成部１６は、論理積ゲート（ＡＮＤゲート）５０、５８、及び論理和ゲート（ＯＲゲート）５６を有して構成される。
【００３４】
ＡＮＤゲート５０の一方の入力端子にはトレイ状態検出スイッチ１２からの検出スイッチ信号が供給され、他方の入力端子にはマイコン１４からのキーロック状態信号が供給される。ＡＮＤゲート５０は、両信号の論理積を演算し、演算結果をトレイ状態検出スイッチ信号として駆動制御部１８に供給する。また、演算結果をＯＲゲート５６の一方の入力端子に供給する。ＯＲゲート５６の他方の入力端子にはコンパレータ３０からのディスク有無信号が供給される。ＯＲゲート５２は、両信号の論理和を演算し、演算結果をＡＮＤゲート５８の他方の入力端子に供給する。ＡＮＤゲート５８の他方の入力端子には、マイコン１４からのイジェクトトリガ信号が供給される。ＡＮＤゲート５８は、両信号の論理積を演算し、演算結果をイジェクト駆動信号として駆動制御部１８に供給する。
【００３５】
ここで、キーロック状態信号、検出スイッチ信号、トレイ状態検出スイッチ信号、ディスク有無信号、イジェクトトリガ信号、イジェクト駆動信号の２値レベルと論理状態を以下のように定義する。
【００３６】
＜キーロック状態信号＞
Ｈｉ：非ロック状態（短押し状態）
Ｌｏｗ：ロック状態（長押し状態）
＜検出スイッチ信号＞
Ｈｉ：クローズ状態
Ｌｏｗ：オープン状態
＜トレイ状態検出スイッチ信号＞
Ｈｉ：クローズ状態
Ｌｏｗ：オープン状態  
＜ディスク有無信号＞
Ｈｉ：ディスク無し
Ｌｏｗ：ディスク有り
＜イジェクトトリガ信号＞
Ｈｉ：排出トリガ
Ｌｏｗ：動作せず
＜イジェクト駆動信号＞
Ｈｉ：イジェクト実行
Ｌｏｗ：イジェクト非実行
【００３７】
光ディスクが実際に装置内に存在している場合を想定する。ディスク取出スイッチ１０を長押ししない場合、キーロック状態信号はＨｉ（非ロック状態）である。検出スイッチ信号がＨｉ（クローズ状態）である場合、トレイ状態検出スイッチ信号はＨｉ（クローズ状態）となる。一方、ＯＲゲート５６の出力信号は、トレイ状態検出スイッチ信号がＨｉ、ディスク有無信号がＬｏｗ（ディスクあり）であるからＨｉとなる。したがって、ＡＮＤゲート５８の出力はマイコン１４からのイジェクトトリガ信号がＨｉであるとＨｉとなる。駆動制御部１８は、イジェクトコマンド及びイジェクト駆動信号のＨｉに応じてイジェクトを実行し、光ディスクを排出する。また、このイジェクトにより、トレイ状態検出スイッチ信号がＬｏｗ（オープン状態）になるのでＴＯＣ情報をメモリ１４ａから消去する。
【００３８】
ディスク取出スイッチ１０を長押しすると、キーロック状態信号はＬｏｗ（ロック状態）となる。検出スイッチ信号がＨｉ（クローズ状態）である場合、トレイ状態検出スイッチ信号はＬｏｗ（オープン状態）となる。一方、ＯＲゲート５６の出力信号は、キーロック状態信号がＬｏｗ、ディスク有無信号がＬｏｗ（ディスク有り）であるからＬｏｗとなる。したがって、ＡＮＤゲート５８の出力はたとえディスク取出スイッチ１０が短押しされてマイコン１４からイジェクトトリガ信号が出力されてもＬｏｗとなり、駆動制御部１８ではイジェクトは許可されない。これにより、光ディスクの盗難が防止される。また、ディスク取出スイッチ１０の長押しに応じてトレイ状態検出スイッチ信号がＬｏｗ（オープン状態）になったことによりＴＯＣ情報はメモリ１４ａから消去される。
【００３９】
次に、光ディスクが存在しない場合を想定する。ディスク取出スイッチ１０を長押ししない場合、キーロック状態信号はＨｉ（非ロック状態）となる。検出スイッチ信号がＨｉ（クローズ状態）である場合、トレイ状態検出スイッチ信号はＨｉ（クローズ状態）となる。一方、ＯＲゲート５６の出力信号は、トレイ状態検出スイッチ信号がＨｉ、ディスク有無信号がＨｉ（ディスクなし）であるからＨｉとなる。したがって、マイコン１４からのイジェクトトリガ信号がＨｉであるとＡＮＤゲート５８の出力信号はＨｉとなる。駆動制御部１８は、イジェクト駆動信号のＨｉに応じてイジェクトを実行し、光ディスクを排出する。
【００４０】
また、ディスク取出スイッチ１０を長押しすると、キーロック状態信号はＬｏｗ（ロック状態）となる。検出スイッチ信号がＨｉ（クローズ状態）である場合、トレイ状態検出スイッチ信号はＬｏｗ（オープン状態）となる。一方、ＯＲゲート５６の出力信号は、キーロック状態信号がＬｏｗ、ディスク有無信号がＨｉ（ディスクなし）であるからＨｉとなる。したがって、ＡＮＤゲート５８の出力はディスク取出スイッチ１０が短押しされて
イジェクトトリガ信号がＨｉとなるとＨｉとなり、駆動制御部１８はトレイ状態検出スイッチ信号がＬｏｗであってもイジェクトコマンド及びイジェクト駆動信号に応じて強制的にイジェクトを実行する。このことは、たとえディスク取出スイッチ１０を長押ししてロック状態に設定しても、光ディスクが存在しない場合にはその後の短押し操作によりトレイをオープン状態にすることを意味する。このように、トレイをオープン状態にしても光ディスクが存在していないので光ディスクが盗難にあうこともない。しかも、ユーザ以外の第３者から見れば、たとえロック状態に設定してあったとしても通常通りトレイがオープンするため、ロック状態にあることを認識できない。すなわち、第３者はロック状態と非ロック状態を識別することができない。
【００４１】
なお、検出スイッチ信号がＬｏｗ（オープン状態）である場合、トレイ状態検出スイッチ信号はＬｏｗであり、実際にオープン状態となっているためたとえイジェクト駆動信号が供給されてもさらにイジェクトされることはなく、第１実施形態と同様にクローズ状態まで駆動するが、ＴＯＣ情報の読み出し、データの再生、データの記録等は実行不可である。また、ディスクの有無検出処理は、ロック状態のときのみ実行してもよい。この場合、非ロック時はディスク有無信号がＨｉとなるように構成することで上記の構成に影響はない。
【００４２】
このように、本実施形態では、ディスク取出スイッチ１０を長押ししてロック状態に設定すると、トレイが実際にはクローズ状態にあったとしても擬似的にオープン状態としてイジェクトを禁止するため、光ディスクの排出及び盗難を防止できる。しかも、同時にＴＯＣ情報等をメモリ１４ａから消去してしまうため、情報漏洩を確実に防止できる。さらに、たとえロック状態にあったとしても、光ディスクが実際に装置内に存在しない場合には通常の動作と同様にトレイをイジェクトするため、光ディスクをローディングすることができる。また、ロック状態にあることを秘匿することもでき、セキュリティ性が向上する。
【００４３】
以上、本発明の実施形態について説明したが、本発明はこれに限らず種々の変更が可能である。
【００４４】
例えば、本実施形態ではディスク取出スイッチ１０を長押しすることでキーロック状態を実現しているが、他のボタンあるいはキーを操作することでキーロック状態を実現してもよい。また、キーロック状態を解除する場合にも任意のボタンあるいはキー操作を用いることができる。例えば、ディスク取出スイッチ１０を長押しすることでキーロック状態を実現し、ディスク取出スイッチ１０を再度長押しすることで解除する、あるいは長押しした後で所定時間内に短押しを複数回行うことで解除する等である。簡易にキーロック状態の実現及び解除を行うためには、既存のスイッチを用いることが好ましく、この意味では通常の光ディスク駆動装置に既設されているディスク取出スイッチ１０を用いてキーロックの設定／解除を行うことが好適である。但し、通常のディスク取出スイッチ１０の操作によって意に反してあるいは無意識のうちにロック状態に設定されてしまうことは好ましくないので、ディスク取出スイッチ１０の長押し操作、長押し操作の後の所定時間内の短押し操作等によりロック状態を設定することがよい。
【００４５】
また、本実施形態では記憶媒体として光ディスクを例にとり、光ディスク駆動装置に適用した場合について説明したが、記憶媒体は光ディスクに限定されるものではなく、任意のディスク媒体あるいは半導体記憶媒体でもよく、例えばフラッシュメモリやＵＳＢメモリにも適用できる。コンピュータの外部記憶装置としてＵＳＢメモリは公知であり、ＵＳＢコネクタに接続して各種のデータを読み書きする。コンピュータの特定のキー操作を行うことでＵＳＢメモリのコネクタからの取り外しを禁止するとともにＴＯＣ情報等を消去する。取り外しを物理的に禁止してもよく、画面上に取り外し禁止メッセージを表示してもよい。
【００４６】
さらに、本実施形態ではトレイタイプの光ディスク駆動装置を例示したが、スロットインタイプの光ディスク駆動装置にも適用できる。前者の場合にはトレイのクローズ／オープンであるが、後者の場合にはディスクの挿入／排出であり、キーロック状態においてディスクの排出状態を擬似的に生成してディスクの排出を禁止する。トレイタイプの場合、トレイは装置内に搬入されていても光ディスクが存在していない場合もあり得、この場合にはロック状態にもかかわらずトレイをイジェクトすることが好適であるが、スロットインタイプの場合、このような状態は存在しないので、ロック状態が設定されると常に光ディスクの排出が禁止される。
【図面の簡単な説明】
【００４７】
【図１】実施形態における光ディスク駆動装置の構成図である。
【図２】図１における信号生成部の構成図である。
【図３】他の実施形態における光ディスク駆動装置の構成図である。
【図４】図３における信号生成部の構成図である。
【符号の説明】
【００４８】
１０  ディスク取出スイッチ、１２  トレイ状態検出スイッチ、１４  マイコン、１６  信号生成部、１８  駆動制御部、２０  駆動部。
【図１】
2008130188.tif 000003
【図２】
2008130188.tif 000004
【図３】
2008130188.tif 000005
【図４】
2008130188.tif 000006